(57)【要約】【課題】写真フィルムがセットされた写真フィルムホルダを、オペレータが最適な位置に正確にセットしたか否かを自動的に判定することができ、オペレータの不快感を防止することができる画像処理装置およびその制御方法を提供することを目的とする。【解決手段】写真フィルムを装着する写真フィルムホルダと、写真フィルムホルダを所定の位置にセットする読取原稿台と、写真フィルムを読み取り、画像データを生成する読取処理部と、画像処理装置の状態をオペレータに通知する表示部とを具備する画像処理装置において、読取原稿台の所定の位置に、写真フィルムホルダがセットされているか否かを判定する位置判定手段と、所定の位置に写真フィルムホルダがセットされていないと判定した場合、表示部を介して、オペレータに警告する警告手段とを有する画像処理装置である。【選択図】図１
2007174318.tif 000002
【特許請求の範囲】
【請求項１】
写真フィルムを装着する写真フィルムホルダと、上記写真フィルムホルダを所定の位置にセットする読取原稿台と、写真フィルムを読み取り、画像データを生成する読取処理部と、画像処理装置の状態をオペレータに通知する表示部とを具備する画像処理装置において、
上記読取原稿台の所定の位置に、上記写真フィルムホルダがセットされているか否かを判定する位置判定手段と；
上記所定の位置に、上記写真フィルムホルダがセットされていないと判定した場合、上記表示部を介して、オペレータに警告する警告手段と；
を有することを特徴とする画像処理装置。
【請求項２】
請求項1において、
上記位置判定手段は、上記写真フィルムホルダが、上記所定の位置にセットされているか否かを、機械式スイッチによって判定する手段であることを特徴とする画像処理装置。
【請求項３】
請求項1において、
上記位置判定手段は、上記写真フィルムホルダが、上記所定の位置にセットされているか否かを、電気式スイッチによって判定する手段であることを特徴とする画像処理装置。
【請求項４】
請求項1において、
上記位置判定手段は、上記写真フィルムホルダに設けられている位置ずれ判定用のマーカを有し、
上記読取処理部が、上記位置ずれ判定用マーカが存在している位置を読み取るマーカ読取部であり、上記マーカ読取部が読み取った上記位置ずれ判定用マーカの位置に応じて、上記写真フィルムホルダが上記所定の位置にセットされていると判定することを特徴とする画像処理装置。
【請求項５】
請求項1において、
上記位置判定手段は、写真フィルムと上記写真フィルムホルダとの境界線を検出し、この検出された上記境界線の位置に応じて、上記写真フィルムホルダが上記所定の位置にセットされていると判定する手段であることを特徴とする画像処理装置。
【請求項６】
請求項１〜請求項５のいずれか１項において、
上記位置判定手段は、
上記読取原稿台の傾きを検出する読取原稿台傾き検出部と；
上記読取原稿台が傾き状態から水平状態へ変化したことを、上記読取原稿台傾き検出部が検出したときに、上記写真フィルムホルダが、上記読取原稿台の所定の位置にセットされていると判定する手段と；
を有する手段であることを特徴とする画像処理装置。
【請求項７】
請求項６において、
記録用紙に画像情報を印刷する記録部と；
上記記録部の開閉状態を検出する記録部開閉検出部と；
を有し、上記記録部開閉検出部は、上記読取原稿台傾き検出部であることを特徴とする画像処理装置。
【請求項８】
写真フィルムを装着する写真フィルムホルダと、上記写真フィルムホルダを所定の位置にセットする読取原稿台と、写真フィルムを読み取り、画像データを生成する読取処理部と、画像処理装置の状態をオペレータに通知する表示部とを具備する画像処理装置の制御方法において、
上記読取原稿台の所定の位置に、上記写真フィルムホルダがセットされているか否かを判定する位置判定工程と；
上記所定の位置に、上記写真フィルムホルダがセットされていないと判定した場合、上記表示部を介して、オペレータに警告する警告工程と；
を有することを特徴とする画像処理装置の制御方法。
【発明の詳細な説明】
【技術分野】
【０００１】
本発明は、銀塩写真フィルム等の透過原稿を、電気的に読み取り、電子ファイル化し、または、記録部材に複写する画像処理装置に関する。また、本発明は、読み取り作業の失敗を事前に防止するために、写真フィルムをセットする写真フィルムホルダの位置ずれを自動的に検出する画像処理装置およびその方法に関する。
【背景技術】
【０００２】
従来から、銀塩写真フィルム等の透過原稿を電気的に読み取り、電子ファイル化し、記録部材に複写する画像処理装置が提案されている。
【０００３】
この従来例において、写真フィルムがセットされている写真フィルムホルダを置く位置が、最適な位置からずれてセットされる場合があり、この場合に、そのまま読み取り作業を行うと、不正な読み取り結果しか得られない。
【０００４】
写真フィルムを副走査方向に移動させる走査機構が提案されている（たとえば、特許文献１参照）。また、写真フィルムを押さえ付けるフィルムホルダが提案されている（たとえば、特許文献２参照）。
【特許文献１】特開２００１−２５５５９７号公報（請求項１）
【特許文献１】特開２００３−１７２９７８号公報（請求項１）
【発明の開示】
【発明が解決しようとする課題】
【０００５】
上記従来技術において、写真フィルムがセットされている写真フィルムホルダを、オペレータが、最適な位置に正確にセットする必要がある。
【０００６】
上記従来例において、写真フィルムホルダがずれた状態で読み取り作業を行うと、無駄な読み取り処理時間を浪費することがあるという問題がある。
【０００７】
上記従来例では、写真フィルムホルダがずれた状態で複写作業をすると、高価な記録部材を無駄にすることがあるという問題がある。
【０００８】
さらに、上記従来例では、写真フィルムホルダのずれを自動的に検出せずに、毎回、オペレータに位置ずれの警告を発すると、オペレータが不快な思いをするという問題がある。
【０００９】
そして、写真フィルムホルダのずれを自動的に検出するためには、ずれ検出器を装備する必要があり、このずれ検出器が高価であるという問題がある。
【００１０】
本発明は、写真フィルムがセットされた写真フィルムホルダを、オペレータが最適な位置に正確にセットしたか否かを自動的に判定することができ、オペレータの不快感を防止することができる画像処理装置およびその制御方法を提供することを目的とする。
【００１１】
また、本発明は、銀塩写真フィルム等の透過原稿を、電気的に読み取り、電子ファイル化し、または、記録部材に複写する画像処理装置において、無駄な読み取り処理時間を防止することができる画像処理装置およびその制御方法を提供することを目的とする。
【００１２】
さらに、本発明は、銀塩写真フィルム等の透過原稿を、電気的に読み取り、電子ファイル化し、または、記録部材に複写する画像処理装置において、高価な記録部材の無駄を防止することができる画像処理装置およびその制御方法を提供することを目的とする。
【００１３】
そして、本発明は、写真フィルムがセットされている写真フィルムホルダの自動的な位置ずれ検出を、高価なずれ検出器を装備せずに実行することができる画像処理装置およびその制御方法を提供することを目的とする。
【課題を解決するための手段】
【００１４】
本発明は、写真フィルムを装着する写真フィルムホルダと、上記写真フィルムホルダを所定の位置にセットする読取原稿台と、写真フィルムを読み取り、画像データを生成する読取処理部と、画像処理装置の状態をオペレータに通知する表示部とを具備する画像処理装置において、上記読取原稿台の所定の位置に、上記写真フィルムホルダがセットされているか否かを判定する位置判定手段と、上記所定の位置に、上記写真フィルムホルダがセットされていないと判定した場合、上記表示部を介して、オペレータに警告する警告手段とを有することを特徴とする画像処理装置である。
【発明の効果】
【００１５】
本発明によれば、写真フィルムがセットされた写真フィルムホルダを、オペレータが最適な位置に正確にセットしたか否かを判定し、位置ずれしているときにのみ、オペレータに警告するので、オペレータの不快感を防止することができるという効果を奏する。
【００１６】
また、本発明によれば、写真フィルムがセットされている写真フィルムホルダの位置ずれを、オペレータに警告するので、無駄な読み取り処理時間を防止することができるという効果を奏する。
【００１７】
さらに、本発明によれば、写真フィルムがセットされている写真フィルムホルダの位置ずれを、オペレータに警告するので、高価な記録部材の無駄を防止することができるという効果を奏する。
【００１８】
そして、本発明によれば、写真フィルムがセットされている写真フィルムホルダの自動的な位置ずれ検出を、高価なずれ検出器を装備せずに実行することができるという効果を奏する。
【発明を実施するための最良の形態】
【００１９】
発明を実施するための最良の形態は、次の実施例である。
【実施例１】
【００２０】
図１は、本発明の実施例１である画像処理装置１００の概略構成を示すブロック図である。
【００２１】
画像処理装置１００は、ＭＰＵ部１と、ＲＯＭ２と、バックアップメモリ部３と、画像蓄積メモリ部４と、データ変換部５と、符号復号化部６と、操作部７と、解像度変換部８と、表示部９と、通信部１０と、記録制御部１１とを有する。また、画像処理装置１００は、記録デバイス部１２と、読取制御部１３と、読取デバイス部１４と、ＵＳＢホスト制御部１５と、メモリカードデバイス部１６と、ＵＳＢデバイス制御部１７と、ＵＳＢコネクタ（Ｂ）１８と、ＣＰＵバス２１とを有する。
【００２２】
ＭＰＵ部１は、ＣＰＵ（Ｃｅｎｔｒａｌ  Ｐｒｏｃｅｓｓｉｎｇ  Ｕｎｉｔ）を含むシステム全体の主制御部であり、画像処理装置１００の全体を制御する。
【００２３】
ＲＯＭ（Ｒｅａｄ  Ｏｎｌｙ  Ｍｅｍｏｒｙ）部２は、ＭＰＵ部１が実行する制御プログラムや参照するデータテーブル、組み込みオペレーティングシステム（組み込みＯＳ）プログラム等の書き換え不可能な固定データを格納する。
【００２４】
実施例１では、ＲＯＭ部２に格納されている各制御プログラムは、ＲＯＭ部２にプログラムが格納されている組み込みＯＳの管理下で、スケジューリングやタスクスイッチ、割り込み処理、タイマー処理等のソフトウエア実行制御を行う。また、ＲＯＭ部２に格納されている各制御プログラムは、記録制御や読取制御、通信制御等のマルチタスク機能を実現する。
【００２５】
バックアップメモリ部３は、図示しないデータバックアップ用の１次電池によってデータを保持するＳＲＡＭ（Ｓｔａｔｉｃ  Ｒａｎｄｏｍ  Ａｃｃｅｓｓ  Ｍｅｍｏｒｙ）で構成されている。また、バックアップメモリ部３は、電気的に内容を書き換えることができるＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等で構成されている。バックアップメモリ部３には、データが消去されては不都合が発生するプログラム制御変数等を格納する。また、オペレータが登録した設定値や画像処理装置１００の管理データ等を格納するメモリエリアも設けられている。
【００２６】
画像蓄積メモリ部４は、ＤＲＡＭ（Ｄｙｎａｍｉｃ  Ｒａｎｄｏｍ    Ｍｅｍｏｒｙ）等で構成されている。画像蓄積メモリ部４は、主には、画像処理装置１００で扱う画像データや、記録デバイス部１２（詳細後述）へ送出する印刷データや、記録デバイス部１２から取得したステータス情報を蓄積する。画像蓄積メモリ部４は、読取デバイス部１４から転送される読取データや、読取デバイス部１４から取得したステータス情報等を蓄積する。また、一部の領域をソフトウエア処理の実行のためのワークエリアとして確保してある。
【００２７】
データ変換部５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、コードデータ情報からビットマップ情報へ画像データの変換を行う。
【００２８】
符号復号化部６は、画像処理装置１００で扱う画像データ（非圧縮形式、ＭＨ圧縮形式、ＭＲ圧縮形式、ＭＭＲ圧縮形式、ＪＢＩＧ圧縮形式、ＪＰＥＧ圧縮形式等）を相互に符号復号化処理し、拡大縮小処理を行う。
【００２９】
操作部７は、数値入力キー、文字入力キー、ワンタッチ電話番号キー、モード設定キー、決定キー、中止キー、取り消しキー等を備えている。また、操作部７は、オペレータによる複写処理の起動や、読み取り処理の起動や、画像送信相手先データの決定や、画像処理装置１００の設定データの登録動作を行うための操作部である。
【００３０】
解像度変換部８は、読取デバイス部１４、記録デバイス部１２、通信部１０等が扱える最適な画像データを生成するための相互変換機能を持つ解像度変換制御を行う。なお、解像度変換部８において、画像データの拡大縮小処理も可能である。
【００３１】
表示部９は、ＬＥＤ（Ｌｉｇｈｔ  Ｅｍｉｔｔｉｎｇ  Ｄｉｏｄｅ、発光ダイオード）とＬＣＤ（Ｌｉｑｕｉｄ  Ｃｒｙｓｔａｌ  Ｄｉｓｐｌａｙ、液晶ディスプレイ）等によって構成されている。表示部９は、オペレータによる各種入力操作内容や、画像処理装置１００の動作状況、読取デバイス部１４のステータス状況の表示、記録デバイス部１２のステータス状況の表示等を行う表示部である。また、オペレータに警告する場合、表示部９のＬＥＤを点灯、点滅させ、ＬＣＤに警告情報を表示することによって警告する。画像処理装置１００が動作をしていない状態においては、待機画面として常に日時を表示し、省電力のために、消灯制御をすることもある。
【００３２】
通信部１０は、ＭＯＤＥＭ（ＭＯｄｕｌａｔｏｒ−ＤＥＭｏｄｕｌａｔｏｒ、変復調装置）や、ＮＣＵ（Ｎｅｔｗｏｒｋ  Ｃｏｎｔｒｏｌ  Ｕｎｉｔ、網制御装置）等によって構成されている。実施例１では、通信部１０は、アナログ公衆通信回線（ＰＳＴＮ）３１に接続され、ＩＴＵ（国際電気通信連合）Ｔ３０プロトコルでの通信制御、通信回線に対する発呼と着呼等の回線制御を行っている。
【００３３】
記録制御部１１は、図示しない画像処理制御部を介して、印刷される画像データに、スムージング処理や記録濃度補正処理、色補正等の各種画像処理を施すことによって、高精細な画像データに変換し、記録デバイス部１２（詳細後述）に印刷出力する。
【００３４】
記録デバイス部１２は、レーザビーム式やインクジェット式等からなる記録装置であり、記録制御部１１から受信したカラー画像データ、またはモノクロ画像データを、印刷部材に記録する。
【００３５】
読取制御部１３は、読取デバイス部１４が、ＣＩＳラインセンサ（密着型イメージセンサ）、またはＣＣＤラインセンサ（Ｃｈａｒｇｅ  Ｃｏｕｐｌｅｄ  Ｄｅｖｉｃｅ）によって原稿を光学的に読み取る。また、読取制御部１３は、電気的な画像データに変換した画像信号を、図示しない画像処理制御部を介して、２値化処理や中間調処理等の各種画像処理を施し、高精細な画像データを出力する。
【００３６】
なお、実施例１では、読取制御部１３、読取デバイス部１４は、原稿を搬送しながら、固定されているラインセンサで読み取りを行うシート読取制御方式に対応している。また、読取制御部１３、読取デバイス部１４は、ガラス原稿台に固定されている原稿を、移動するラインセンサでスキャンするブック読取制御方式に対応している。さらに、ブック読取制御方式は、通常の紙原稿を指す反射原稿と、銀塩写真フィルム等の透過原稿の両原稿に対応している。また、銀塩写真フィルムを読み取る場合は、写真フィルムを写真フィルムホルダ２００（詳細後述）に装着した後に、ガラス原稿台の所定の位置にセットする。
【００３７】
ＵＳＢホスト制御部１５は、ＵＳＢアナログトランシーバ、シリアルインタフェースエンジンを含み、ＵＳＢインタフェースの通信制御を行うものである。また、ＵＳＢホスト制御部１５は、ＵＳＢ通信規格に従って、プロトコル制御を行い、ＭＰＵ１が実行するＵＳＢホスト制御タスクからのデータを、パケットに変換する。さらに、ＵＳＢホスト制御部１５は、メモリカードデバイス部１６（詳細後述）にＵＳＢパケット送信を実行し、逆に、接続されるメモリカードデバイス部１６からのＵＳＢパケットを、データに変換し、ＭＰＵ１に送信する。
【００３８】
ＵＳＢ通信規格は、双方向のデータ通信を高速に行うことが出来る規格であり、１台のホスト（マスター）に対し、複数のデバイス（スレーブ）を接続することが出来る。ＵＳＢホスト制御部１５は、ＵＳＢ通信におけるホストの機能を有する。
【００３９】
メモリカードデバイス部１６は、図示しない専用ＣＰＵで制御される。図示しないカードスロットに、主にはフラッシュメモリを実装したメモリカード（コンパクトフラッシュ（登録商標）カードやスマートメディア（登録商標）カード）等の記録メディアを挿入する。メモリカードデバイス部１６は、ＵＳＢインタフェース経由で受信したデータを書き込み、またはデータを読み込むことが可能なカードリーダ／ライタである。
【００４０】
また、カードスロットに挿入するカードは、記録メディアに限らず、通信制御を行うためのデータ入出力カードを使用するようにしてもよい。ＵＳＢホスト制御部１５との間で、ＵＳＢ通信規格で定められたプロトコルで通信し、特にメモリカードデバイス部１６は、ファンクションの機能を有する。
【００４１】
ＵＳＢデバイス制御部１７は、ＵＳＢアナログトランシーバ、シリアルインタフェースエンジンを含み、ＵＳＢインタフェースの通信制御を行う。ＵＳＢ通信規格に従って、プロトコル制御を行い、ＭＰＵ１が実行するＵＳＢデバイス制御タスクからのデータを、パケットに変換し、接続される外部ＵＳＢホスト装置（たとえばパーソナルコンピュータ４１）にＵＳＢパケット送信を実行する。逆に、接続される外部ＵＳＢホスト装置（たとえばパーソナルコンピュータ４１）からのＵＳＢパケットを、データに変換し、ＭＰＵ１に送信する。ＵＳＢデバイス制御部１７は、ＵＳＢ通信におけるデバイスの機能を有する。
【００４２】
ＵＳＢコネクタ（Ｂ）１８は、ＵＳＢ通信規格に準拠したデバイス側のコネクタであり、たとえばパーソナルコンピュータ４１等の外部ＵＳＢホスト装置との間を、ＵＳＢケーブルで接続するＢタイプ形状のコネクタである。
【００４３】
上記構成要素１〜１１、１３、１５、１７は、ＭＰＵ部１が管理するＣＰＵバス２１を介して、相互に接続されている。
【００４４】
次に、写真フィルムホルダ２００について、詳細に説明する。
【００４５】
図２は、実施例１で使用する写真フィルムホルダ２００の外観を示す模式図である。
【００４６】
写真フィルムホルダは、３５ｍｍのスリーブフィルムを２列同時に装着することが可能であり、１２コマまで順番に読み込むことが可能である。
【００４７】
次に、写真フィルムホルダに３５ｍｍのスリーブフィルムを装着する方法について、詳細に説明する。
【００４８】
図３は、実施例１で使用する写真フィルムホルダ２００に、３５ｍｍのスリーブフィルム、１２コマ分を装着する方法を示す模式図である。
【００４９】
図３に示すように、写真フィルムホルダ２００の２列の溝に、３５ｍｍのスリーブフィルム２本をはめ込み、フィルム抑えで押さえ付けるようにして装着する。
【００５０】
次に、写真フィルムホルダをセットする読取原稿台について、詳細に説明する。
【００５１】
図４は、実施例１に適した画像処理装置１００の全体を示す模式図である。
【００５２】
図４に示すように、読取原稿台カバー５１を上部に開くと、読取デバイス部１４の一部であるガラス製の読取原稿台５０が現れる。読取原稿台５０は、Ａ４サイズの大きさがあり、両サイドに写真フィルムホルダ２００をセットするための目安になる切り込み５２、５３が入っている。
【００５３】
図５は、実施例１において、写真フィルムホルダ２００を読取原稿台５０にセットする位置を示す模式図である。
【００５４】
図５に示すように、読取原稿台５０の切り込み５２、５３と、写真フィルムホルダ２００の突起部を合わせるようにしてセットする。また、切り込み５２に、機械式の接触スイッチ５５、たとえばアクチュエータ等を具備することによって、写真フィルムホルダ２００のずれを検出することができる。
【００５５】
また、接触スイッチ５５の反対側対称部にも、機械式の接触スイッチ５６を具備することによって、写真フィルムホルダ２００のずれをより正確に検出することができる。また、機械式接触スイッチ５５に、フォトインタラプタ方式に代表されるような、電気式の接触スイッチを具備することによって、写真フィルムホルダ２００のずれを検出することができる。さらに、機械式接触スイッチ５５の反対側対称部にも、電気式の接触スイッチを具備することによって、写真フィルムホルダ２００のずれをより正確に検出することができる。
【００５６】
また、写真フィルムホルダ２００の裏に、位置ずれ判定用のマーカ（図示せず）を付け、その位置ずれ判定用マーカが所定の位置にあるか否かを、読取デバイス部１４、読取制御部１３が画像読み取りすることによって、判定するようにしてもよい。これによって、写真フィルムホルダ２００のずれが検出される。
【００５７】
上記位置ずれ判定用マーカを検出する場合、読み取り画像のヒストグラムを作成すれば、上記位置ずれ判定用マーカを簡単に検出することができる。なお、上記「ヒストグラム」は、画像のピクセル値分布を示す棒グラフであり、棒グラフの横軸の左側には、画像のシャドウの値（０が最も暗い値）が表示され、右側に移るに従って、画像のハイライトの値（２５５が最も明るい値）が表示される。
【００５８】
写真フィルムホルダ２００の裏の地の色を黒にし、上記位置ずれ判定用マーカの色を白くすれば、上記位置ずれ判定用マーカの部分だけ、ハイライトの値が大きくなり、その他の部分、つまり写真フィルムホルダ２００の地の部分だけ、シャドウの値が大きくなる。
【００５９】
また、写真フィルムホルダ２００と、セットされているスリーブフィルムとの境界線が、所定の位置にあるか否かを、読取デバイス部１４、読取制御部１３が画像を読み取ることによって判定し、写真フィルムホルダ２００のずれを検出するようにしてもよい。
【００６０】
写真フィルムホルダ２００と、セットされているスリーブフィルムとの境界線を検出する場合、上記と同様に、読み取り画像のヒストグラムを作成することによって、上記境界線を簡単に検出することができる。
【００６１】
写真フィルムホルダ２００の裏の地の部分だけ、シャドウの値が大きくなり、その他のセットされているスリーブフィルムの部分は、その色調分布が、ある程度、均等に分布する。また、上記方法によって、写真フィルムホルダ２００のずれを検出した場合、表示部９を介して、写真フィルムホルダ２００がずれていることを、オペレータに警告する。警告する場合、表示部９のＬＥＤを点灯、点滅させ、または、ＬＣＤに警告情報を表示することによって、警告する。
【００６２】
次に、実施例１において、画像処理装置１００をメンテナンスする動作について説明する。
【００６３】
図６は、実施例１に適した画像処理装置１００の記録部カバー６１の開け方を示す模式図である。
【００６４】
図７は、実施例１において、記録部カバー６１が閉状態であることを示す図である。
【００６５】
なお、記録部カバー６１と読取原稿台５０とは、一体であり、記録部カバー６１を開けることによって、読取原稿台５０が持ち上がる。
【００６６】
図６に示すように、記録部カバー６１の前面を持ち上げ、記録部カバー６１の後部を軸として、斜めに開く機構である場合、写真フィルムホルダ２００をセットしてある読取原稿台５０は大きく斜めに傾く。たとえば、記録部材に印刷するための記録インクを交換する場合や、画像処理装置１００内に記録部材が滞留した場合、すなわち画像処理装置１００のメンテナンスを行う場合、オペレータは、図６に示すような操作を行う必要がある。
【００６７】
この場合、所定の位置にセットされているはずの写真フィルムホルダ２００が、読取原稿台５０の傾斜によって、所定の位置から奥の方へ、ずれる。この場合、読取原稿台５０に傾きを検出する傾斜検出器を装備し、この傾斜検出器によって傾きを検出し、その後に、閉状態に戻った際に、上記のような、写真フィルムホルダ２００の位置ずれ判定をするようにしてもよい。なお、上記傾斜検出器として、たとえば振り子原理を応用した傾斜検出器が考えられる。
【００６８】
次に、上記の傾斜検出器を装備できない場合について、説明する。
【００６９】
近年の画像処理装置１００は、製造コストを下げながら、なおかつ、付加価値を加えなければ、製品として受け入れられない状況にある。このような状況下で、上記傾斜検出器等を専用に設けない場合も十分考えられる。このような場合は、傾斜検出器を、他のスイッチと兼用することによって、同様の効果を得ることができる。
【００７０】
図６、図７に示す画像処理装置１００において、記録部カバー６１に開閉スイッチが具備されている場合、記録部カバー６１が開いていると、読取原稿台５０が傾き状態にあると考えられる。そして、記録部カバー６１が閉じていると、読取原稿台５０が水平状態であると考えられる。
【００７１】
したがって、記録部カバー６１が開いている状態（図６）から、その後に、記録部カバー６１が閉じている状態に戻った際に、写真フィルムホルダ２００の位置ずれを判定するようにすればよい。
【図面の簡単な説明】
【００７２】
【図１】本発明の実施例１である画像処理装置１００の概略構成を示すブロック図である。
【図２】実施例１で使用する写真フィルムホルダ２００の外観を示す模式図である。
【図３】実施例１で使用する写真フィルムホルダ２００に、３５ｍｍのスリーブフィルム、１２コマ分を装着する方法を示す模式図である。
【図４】実施例１に適した画像処理装置１００の全体を示す模式図である。
【図５】実施例１において、写真フィルムホルダ２００を読取原稿台５０にセットする位置を示す模式図である。
【図６】実施例１に適した画像処理装置１００の記録部カバー６１の開け方を示す模式図である。
【図７】実施例１において、記録部カバー６１が閉状態であることを示す図である。
【符号の説明】
【００７３】
１００…画像処理装置、
１…ＭＰＵ部、
２…ＲＯＭ部、
７…操作部、
９…表示部、
１３…読取制御部、
１４…読取デバイス部。
【図１】
2007174318.tif 000003
【図２】
2007174318.tif 000004
【図３】
2007174318.tif 000005
【図４】
2007174318.tif 000006
【図５】
2007174318.tif 000007
【図６】
2007174318.tif 000008
【図７】
2007174318.tif 000009